【手続補正書】
【提出日】平成17年11月30日(2005.11.30)
【手続補正１】
【補正対象書類名】明細書
【補正対象項目名】特許請求の範囲
【補正方法】変更
【補正の内容】
【特許請求の範囲】
【請求項１】  版胴に設けられ、当該版胴の周面に巻き付けられた刷版の両端部をくわえる版万力装置と、
前記版胴に巻かれた前記刷版を排出する刷版排出手段と
を備えた刷版交換装置において、
前記刷版排出手段に設けられ、前記版胴からの前記刷版を把持する把持手段と、
前記把持手段を前記刷版の把持位置と当該刷版の排出位置との間で移動させる移動手段と、
前記把持手段で把持された前記刷版をさらに排出する排出手段と
を備えてなることを特徴とする刷版交換装置。
【請求項２】 請求項１において、
前記把持手段が、
前記刷版排出手段に回転可能に支持された軸と、
前記軸に複数設けられたローラと、
前記刷版排出手段に回動可能に支持されたアームと、
前記アームに回転可能に支持された軸と、
前記アーム側の前記軸に複数設けられたローラと、
前記刷版排出手段側の前記ローラに前記アーム側の前記ローラを当接させる方向へ前記アームを回動させるように付勢するコイルばねと、
前記刷版排出手段が前記刷版の把持位置に位置しているときに前記刷版排出手段側の前記ローラと前記アーム側の前記ローラとを離反させるように前記コイルばねの付勢力に抗して前記アームを回動させ、前記刷版排出手段が前記刷版の排出位置へ位置するときに前記アームから離れる板カムと
を備えていることを特徴とする刷版交換装置。
【請求項３】 請求項２において、
前記排出手段が、
前記刷版の排出位置側に設けられた駆動装置と、
前記駆動装置の軸に嵌合する歯車と、
前記歯車に噛み合う歯車と、
前記把持手段の前記刷版排出手段側の前記軸に設けられて前記駆動装置の前記軸の前記歯車に噛み合う前記歯車と噛合可能な歯車と
を備えていることを特徴とする刷版交換装置。
【請求項４】 請求項２において、
前記排出手段が、
前記刷版の把持位置と前記刷版の排出位置との間にわたって設けられたラックと、
前記把持手段の前記刷版排出手段側の前記軸に設けられて前記ラックに噛み合う歯車と
を備えていることを特徴とする刷版交換装置。
【請求項５】 請求項２において、
前記排出手段が、
前記把持手段の前記刷版排出手段側の前記軸に連結されたモータである
ことを特徴とする刷版交換装置。
【請求項６】 請求項３において、
前記移動手段が、
前記刷版の把持位置側に設けられたスプロケットと、
前記排出手段の前記駆動装置の前記軸に遊嵌するスプロケットと、
前記排出手段の前記駆動装置の前記軸の前記歯車と前記スプロケットとの間に介在する皿ばねと、
一端と他端とを前記刷版移動手段に連結されて前記把持位置側の前記スプロケットと前記排出位置側の前記スプロケットとの間に掛け渡されたチェーンと
を備えていることを特徴とする刷版交換装置。
【請求項７】 請求項４又は請求項５において、
前記移動手段が、
前記刷版の把持位置側に設けられたスプロケットと、
前記刷版の排出位置側に設けられたスプロケットと、
前記排出位置側の前記スプロケットを回転させる駆動装置と、
一端と他端とを前記刷版移動手段に連結されて前記把持位置側の前記スプロケットと前記排出位置側の前記スプロケットとの間に掛け渡されたチェーンと
を備えていることを特徴とする刷版交換装置。
【請求項８】 請求項１において、
前記版胴に刷版を供給する給版手段を備え、
前記給版手段が、
前記刷版の把持位置側と当該刷版の排出位置側との間を連絡するように配設されたねじ軸と、
前記ねじ軸に螺合するブラケットと、
前記版胴の外周面に対して揺動できるように前記ブラケットに軸支されて前記刷版の長さよりも短い長さの案内板と、
前記案内板に配設されたガイドローラと、
前記版胴の近傍に配設されて前記案内板を揺動させるエアシリンダと、
前記ねじ軸を回転駆動させる駆動装置と
を備えていることを特徴とする刷版交換装置。
【手続補正２】
【補正対象書類名】明細書
【補正対象項目名】０００３
【補正方法】変更
【補正の内容】
【０００３】
一方、図８（ｂ）に示すように、刷版交換時にはマガジン１１１を旋回させて、ローラ１１２が版胴１２２に当接する位置で固定し、刷版の一方側の端部をくわえている版胴１２２の版万力装置を解除して版胴１２２を印刷時と異なる方向に回転させて刷版をマガジン１１１に送り込んだ後、刷版の他方側の端部をくわえている版胴１２２の版万力装置を解除することにより、版胴１２２に保持されていた刷版の旧版を取り外し、続いて、マガジン１１１から刷版の新版を送り出して版胴１２２の版万力装置で当該刷版の他方側の端部を把持した後、版胴１２２を印刷時と同方向に回転させて当該刷版を版胴１２２に巻き付け、当該刷版の一方側の端部を版胴１２２の版万力装置に把持させることにより、版胴１２２に刷版の新版を取り付けることができる。
【手続補正３】
【補正対象書類名】明細書
【補正対象項目名】０００７
【補正方法】変更
【補正の内容】
【０００７】
【課題を解決するための手段】
前述した課題を解決するための、本発明による刷版交換装置は、版胴に設けられ、当該版胴の周面に巻き付けられた刷版の両端部をくわえる版万力装置と、前記版胴に巻かれた前記刷版を排出する刷版排出手段とを備えた刷版交換装置において、前記刷版排出手段に設けられ、前記版胴からの前記刷版を把持する把持手段と、前記把持手段を前記刷版の把持位置と当該刷版の排出位置との間で移動させる移動手段と、前記把持手段で把持された前記刷版をさらに排出する排出手段とを備えてなることを特徴とする。
また、本発明による刷版交換装置は、上述した刷版交換装置において、前記把持手段が、前記刷版排出手段に回転可能に支持された軸と、前記軸に複数設けられたローラと、前記刷版排出手段に回動可能に支持されたアームと、前記アームに回転可能に支持された軸と、前記アーム側の前記軸に複数設けられたローラと、前記刷版排出手段側の前記ローラに前記アーム側の前記ローラを当接させる方向へ前記アームを回動させるように付勢するコイルばねと、前記刷版排出手段が前記刷版の把持位置に位置しているときに前記刷版排出手段側の前記ローラと前記アーム側の前記ローラとを離反させるように前記コイルばねの付勢力に抗して前記アームを回動させ、前記刷版排出手段が前記刷版の排出位置へ位置するときに前記アームから離れる板カムとを備えていることを特徴とする。
また、本発明による刷版交換装置は、上述した刷版交換装置において、前記排出手段が、前記刷版の排出位置側に設けられた駆動装置と、前記駆動装置の軸に嵌合する歯車と、前記歯車に噛み合う歯車と、前記把持手段の前記刷版排出手段側の前記軸に設けられて前記駆動装置の前記軸の前記歯車に噛み合う前記歯車と噛合可能な歯車とを備えていることを特徴とする。
また、本発明による刷版交換装置は、上述した刷版交換装置において、前記排出手段が、前記刷版の把持位置と前記刷版の排出位置との間にわたって設けられたラックと、前記把持手段の前記刷版排出手段側の前記軸に設けられて前記ラックに噛み合う歯車とを備えていることを特徴とする。
また、本発明による刷版交換装置は、前記排出手段が、前記把持手段の前記刷版排出手段側の前記軸に連結されたモータであることを特徴とする。
また、本発明による刷版交換装置は、前記移動手段が、前記刷版の把持位置側に設けられたスプロケットと、前記排出手段の前記駆動装置の前記軸に遊嵌するスプロケットと、前記排出手段の前記駆動装置の前記軸の前記歯車と前記スプロケットとの間に介在する皿ばねと、一端と他端とを前記刷版移動手段に連結されて前記把持位置側の前記スプロケットと前記排出位置側の前記スプロケットとの間に掛け渡されたチェーンとを備えていることを特徴とする。
また、本発明による刷版交換装置は、前記移動手段が、前記刷版の把持位置側に設けられたスプロケットと、前記刷版の排出位置側に設けられたスプロケットと、前記排出位置側の前記スプロケットを回転させる駆動装置と、一端と他端とを前記刷版移動手段に連結されて前記把持位置側の前記スプロケットと前記排出位置側の前記スプロケットとの間に掛け渡されたチェーンとを備えていることを特徴とする。
また、本発明による刷版交換装置は、前記版胴に刷版を供給する給版手段を備え、前記給版手段が、前記刷版の把持位置側と当該刷版の排出位置側との間を連絡するように配設されたねじ軸と、前記ねじ軸に螺合するブラケットと、前記版胴の外周面に対して揺動できるように前記ブラケットに軸支されて前記刷版の長さよりも短い長さの案内板と、前記案内板に配設されたガイドローラと、前記版胴の近傍に配設されて前記案内板を揺動させるエアシリンダと、前記ねじ軸を回転駆動させる駆動装置とを備えていることを特徴とする。
【手続補正４】
【補正対象書類名】明細書
【補正対象項目名】００２３
【補正方法】変更
【補正の内容】
【００２３】
このようにして構成された刷版交換装置の作用を次に説明する。
［排版工程］
版胴１２２の一方の版万力装置１２２ａを解除して刷版の一方側の端部を開放し、版胴１２２を印刷時と異なる方向に回転させると、刷版は、版胴１２２への巻き付けによりクセがついているため、その一方側の端部が前記ローラ２１，２５間へ送給される。すると、前記センサ２８が刷版を検出し、当該センサ２８からの信号に基づいて、前記制御装置が前記駆動装置を作動して前記軸１３を回転させ、前記歯車１４を介して前記歯車１７を回転させると共に、前記スプロケット１１，１２を介してチェーン１８を走行移動させてブラケット１９を刷版の把持位置から上昇させる。これに伴い、前記アーム２３が板カム２７から外れ、コイルばね２６の作用によりローラ２５をローラ２１に当接させるようにアーム２３が回動して、当該ローラ２１，２５が刷版を挾持するため、刷版は、ブラケット１９の上記把持位置からの上昇に伴って上方へ送り出され排出されていく。